【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
空冷装置と、
遊技演出を行う遊技演出表示装置と、
遊技の進行を制御する主制御マイクロプロセッサが実装された主制御基板と、
該主制御基板からのコマンドに基づいて遊技球の払い出しを制御する払出制御マイクロプロセッサが実装された払出制御基板と、
前記主制御基板からのコマンドに基づいて前記遊技演出表示装置を制御する周辺制御基板と、
前記空冷装置、前記遊技演出表示装置、前記主制御基板、前記払出制御基板及び前記周辺制御基板に電力をそれぞれ供給する各種電源回路が実装された電源基板を収納する電源基板ボックスと、
を備えるパチンコ遊技機であって、
前記電源基板は、さらに、
前記主制御マイクロプロセッサに内蔵されたＲＡＭにバックアップ電源を供給する主制御側キャパシタと、
前記払出制御マイクロプロセッサに内蔵されたＲＡＭにバックアップ電源を供給する払出制御側キャパシタと、
を備え、
前記電源基板ボックスは、少なくとも、その外周に、
当該電源基板ボックスの内部の空気を外部に吐き出したり又は外気を取り入れたりする複数の空気通風口
が形成され、
前記空冷装置は、前記電源基板ボックスを当該パチンコ遊技機から取り外すことなく、着脱自在に、当該電源基板ボックスの外周に形成された前記複数の空気通風口の一部を塞ぐように当該電源基板ボックスの外周に取り付け可能であり、かつ、前記電源基板から電力が供給されて当該空冷装置が稼動すると、当該空冷装置で塞がれている当該複数の空気通風口の一部を通して当該電源基板ボックスの内部の空気を取り込んで該取り込んだ空気を外部に排気するとともに該取り込んだ空気に引っ張られて当該空冷装置で塞がれていない当該複数の空気通風口を通して当該電源基板ボックスの内部に外気を取り入れたり、又は当該空冷装置で塞がれている当該複数の空気通風口の一部を通して当該電源基板ボックスの内部に外気を送り込んで該送り込んだ空気に押し出されて当該電源基板ボックスの内部の空気を当該空冷装置で塞がれていない当該複数の空気通風口を通して外部に排気したりする一方、前記電源基板から電力が供給されているにもかかわらず当該空冷装置が停止した状態となると、その旨を伝えるロック信号を前記周辺制御基板に出力し、
前記周辺制御基板は、少なくとも、
前記空冷装置からの前記ロック信号が入力されると、当該空冷装置が異常である旨を伝える報知態様に前記遊技演出表示装置を制御する空冷装置異常報知制御手段
を備えていることを特徴とするパチンコ遊技機。
【請求項２】
請求項１に記載のパチンコ遊技機であって、
前記パチンコ遊技機は、さらに、
遊技の進行を点灯又は点滅によって遊技者に報知する遊技進行発光手段
を備え、
前記遊技演出表示装置は、少なくとも、
遊技の進行を画像として描画する液晶表示器と、
点灯、点滅又は階調点灯する演出発光手段と、
を備え、
前記主制御基板は、少なくとも、
前記空冷装置からロック信号が出力されたか否かにかかわらず、遊技の進行に従って前記遊技進行発光手段を点灯又は点滅させる点灯点滅制御手段
を備え、
前記周辺制御基板は、さらに、
前記空冷装置からのロック信号が出力されたか否かにかかわらず、前記液晶表示器の描画制御を行う描画制御手段
を備え、
前記空冷装置異常報知制御手段は、前記報知態様として前記演出発光手段のみを全消灯することを特徴とするパチンコ遊技機。
【手続補正２】
【補正対象書類名】明細書
【補正対象項目名】００１６
【補正方法】変更
【補正の内容】
【００１６】
本実施形態では、例えば、図９９の空冷ファン９０５が空冷装置に相当し、図１１９の演出ランプ１２３０、階調ランプ１２４０、パトランプ装置１２３５の点灯ランプ１２３５ａ、パトランプ装置１２３５のモータ１２３５ｂ、図２の扉枠装飾ランプ５ａａ，５ｂ〜５ｈ、図１１９の液晶表示器１３１５、図１２１の前側ギアモジュール駆動モータ１５７８、後側ギアモジュール駆動モータ１５８５、図１３０のＬＥＤ１５７２ｃｃｃ，１５７２ｃｃｄ，１５７３ｃｃｃ，１５７３ｃｃｄが遊技演出表示装置に相当し、図１３９の主制御ＭＰＵ１７００ａが主制御マイクロプロセッサに相当し、図１３９の主制御基板１７００が主制御基板に相当し、図１３９の払出制御ＭＰＵ１７１０ａが払出制御マイクロプロセッサに相当し、図１３９の払出制御基板７１５が払出制御基板に相当し、図１３９の周辺基板１６１０が周辺制御基板に相当し、図１４２の＋３４Ｖ作成回路６８６ａ、＋１８Ｖ作成回路６８６ｂ、＋９Ｖ作成回路６８６ｃが各種電源回路に相当し、図１４２の電源基板６８６が電源基板に相当し、図９０の電源基板ボックス６５３が電源基板ボックスに相当し、図１のパチンコ遊技機１がパチンコ遊技機に相当し、「主内蔵ＲＡＭ」が主制御マイクロプロセッサに内蔵されたＲＡＭに相当し、図１４２のキャパシタＢＣ１が主制御側キャパシタに相当し、「払出内蔵ＲＡＭ」が払出制御マイクロプロセッサに内蔵されたＲＡＭに相当し、図１４２のキャパシタＢＣ０が払出制御側キャパシタに相当し、図９１の放熱口６５３ａ、吸入口６５３ｂが複数の空気通風口に相当し、図１８７の空冷ファン異常報知処理が空冷装置異常報知制御手段に相当する。
【手続補正３】
【補正対象書類名】明細書
【補正対象項目名】００１７
【補正方法】変更
【補正の内容】
【００１７】
（解決手段２）
解決手段１に記載のパチンコ遊技機であって、前記パチンコ遊技機は、さらに、遊技の進行を点灯又は点滅によって遊技者に報知する遊技進行発光手段を備え、前記遊技演出表示装置は、少なくとも、遊技の進行を画像として描画する液晶表示器と、点灯、点滅又は階調点灯する演出発光手段と、を備え、前記主制御基板は、少なくとも、前記空冷装置からロック信号が出力されたか否かにかかわらず、遊技の進行に従って前記遊技進行発光手段を点灯又は点滅させる点灯点滅制御手段を備え、前記周辺制御基板は、さらに、前記空冷装置からのロック信号が出力されたか否かにかかわらず、前記液晶表示器の描画制御を行う描画制御手段を備え、前記空冷装置異常報知制御手段は、前記報知態様として前記演出発光手段のみを全消灯することを特徴とするパチンコ遊技機。このように、遊技演出表示装置の演出発光手段が全消灯状態となることによって、ホールの店員等は、空冷装置が停止した状態であることを判断することができため、空冷装置の交換準備にとりかかることができる。また、演出発光手段が全消灯状態となることによって、演出発光手段への電力供給を断つことができるため、電源基板への負荷を抑えることができる。これにより、空冷装置が停止した状態でも電源基板の発熱量を抑えることができるため、発熱による電源基板の故障を防止することができる。更に、遊技の進行を報知する遊技進行発光手段と、遊技の進行を画像として描画する液晶表示器と、の電力供給が断たれることがないため、空冷装置が停止した状態となっても、遊技者に遊技の進行が見にくくならず、遊技者は遊技を続行することができる。
【手続補正４】
【補正対象書類名】明細書
【補正対象項目名】００１９
【補正方法】変更
【補正の内容】
【００１９】
本発明の請求項１においては、バックアップ電源を断つことなく空冷ファンを交換することができる。請求項２においては、遊技演出表示装置の演出発光手段が全消灯状態となることによって、ホールの店員等は、空冷装置が停止した状態であることを判断することができため、空冷装置の交換準備にとりかかることができる。また、演出発光手段が全消灯状態となることによって、演出発光手段への電力供給を断つことができるため、電源基板への負荷を抑えることができる。